(57)【要約】【課題】タッチパネル１０からの信号を処理するための装置２２について説明される。【解決手段】タッチパネル１０は、複数の感知電極１４、２０と少なくとも１つの共通電極１５との間に配置された圧電材料層１６を含む。装置２２は、複数の感知電極１４、２０に接続するための第１回路２３を含む。第１回路２３は、複数の第１圧力信号２９を生成するように構成されている。各第１圧力信号２９は、１つ以上の感知電極１４、２０に対応し、対応する１つ以上の感知電極１４、２０に近接してタッチパネル１０に作用する圧力を示す。装置２２はまた、少なくとも１つの共通電極１５に接続するための第２回路２４を含む。【選択図】図８
2019220162.tif 000002
【特許請求の範囲】
【請求項１】
タッチパネルからの信号を処理する装置であって、
前記タッチパネルは、複数の感知電極と少なくとも１つの共通電極との間に配置された圧電材料層を備え、
前記装置は、前記複数の感知電極に接続され、かつ、複数の第１圧力信号を生成するように構成された第１回路を備え、
それぞれの前記第１圧力信号は、一又は複数の感知電極に対応しており、かつ、前記タッチパネルにおいて前記一又は複数の感知電極に近接する箇所に作用する圧力を示しており、
前記装置は、前記少なくとも１つの共通電極に接続され、かつ、前記タッチパネルに加えられた全圧力を示す第２圧力信号を生成するように構成された第２回路を備え、
前記装置は、前記第２圧力信号と前記複数の第１圧力信号との加重和に基づいて外部干渉信号を測定する制御装置を備え、
前記制御装置は、前記外部干渉信号と予め較正された閾値とを比較し、前記予め較正された閾値以上の前記外部干渉信号に応じて干渉フラグを出力するように構成されており、
前記干渉フラグは、前記第１及び第２圧力信号が一又は複数の外部電界との結合により影響を受けたことを示すものである。
【請求項２】
請求項１に記載の装置であって、
前記制御装置は、前記タッチパネルに圧力が加えられた位置を特定し、かつ、
前記干渉フラグが設定されていることに応じて、一又は複数の外部電界への結合の前記影響を低減又は除去するように構成された信号後処理方法を使用して前記第１及び／又は第２圧力信号を処理するようにさらに構成されている。
【請求項３】
請求項２に記載の装置であって、
一又は複数の外部電界への結合の前記影響を低減又は除去するように構成された信号後処理方法を使用して前記第１及び／又は第２圧力信号を処理することは、前記位置に近接する一又は複数の感知電極を識別し、かつ、前記全圧力を測定するための計算から、前記識別された感知電極を除外することを含んでいる。  
【請求項４】
請求項３に記載の装置であって、
前記制御装置は、前記除外されずに残っている感知電極に基づいて、前記タッチパネルにおいて前記一又は複数の除外された感知電極に近接している箇所に作用する一又は複数の圧力を推定するようにさらに構成される。
【請求項５】
請求項１〜４のいずれか１項に記載の装置であって、
前記第１回路は、各感知電極について、前記感知電極の静電容量を示す静電容量信号を生成するように構成されており、
前記制御装置は、前記タッチパネルに圧力が加えられる位置を前記静電容量信号に基づいて特定するように構成されている。
【請求項６】
請求項５に記載の装置であって、
前記第１圧力信号及び前記静電容量信号を生成することは、前記感知電極から受信した単一の信号を分離することを含んでいる。
【請求項７】
タッチパネルシステムであって、
請求項１〜６のいずれか１項に記載の装置と、
複数の感知電極と少なくとも１つの共通電極との間に配置された圧電材料層を有するタッチパネルとを備える。
【請求項８】
請求項７に記載のタッチパネルシステムを備える電子機器。
【請求項９】
タッチパネルからの信号を処理する方法であって、
前記タッチパネルは、複数の感知電極と少なくとも１つの共通電極との間に配置された圧電材料層を備え、
前記方法は、
複数の第１圧力信号を生成するステップであって、各第１圧力信号は、一又は複数の感知電極から受信した信号に基づいており、かつ、各第１圧力信号は、前記タッチパネルにおいて前記一又は複数の感知電極に近接する箇所に作用する圧力を示すステップと、
前記少なくとも１つの共通電極から受信した信号に基づいて、前記タッチパネルに加えられた全圧力を示す第２圧力信号を生成するステップと、
前記第２圧力信号と前記複数の第１圧力信号との間の加重和に基づいて外部干渉信号を測定するステップと、
前記外部干渉信号を予め較正された閾値と比較し、前記外部干渉信号が前記予め較正された閾値以上であることに応じて、前記第１及び第２圧力信号が一又は複数の外部電界との結合によって影響されたことを示す干渉フラグを出力するステップとを含んでいる。
【請求項１０】
請求項９に記載の方法であって、
前記タッチパネルに圧力が加えられる位置を特定するステップと、
前記干渉フラグが設定されていることに応じて、一又は複数の外部電界への結合の前記影響を低減又は除去するように構成された信号後処理方法を使用して前記第１及び／又は第２圧力信号を処理するステップとをさらに含む。
【請求項１１】
請求項１０に記載の方法であって、
一又は複数の外部電界への結合の前記影響を低減又は除去するように構成された信号後処理方法を使用して前記第１及び／又は第２圧力信号を処理するステップは、前記位置に近接した一又は複数の感知電極を識別し、前記全圧力を測定するための後続の計算から、前記識別した感知電極を除外することを含んでいる。
【請求項１２】
請求項１１に記載の方法であって、
前記除外されずに残っている感知電極に基づいて、前記タッチパネルにおいて前記一又は複数の除外された感知電極に近接している箇所に作用する一又は複数の圧力を推定するステップをさらに含んでいる。
【請求項１３】
請求項９〜１２のいずれか１項に記載の方法であって、
各感知電極から受信した信号に基づき、前記感知電極の静電容量を示す静電容量信号を生成するステップをさらに含み、
前記方法は、前記静電容量信号に基づいて前記タッチパネルに圧力が加えられる位置を特定するステップをさらに含んでいる。
【請求項１４】
請求項１３に記載の方法であって、
前記第１圧力信号及び前記静電容量信号を生成するステップは、前記感知電極から受信した単一の信号を分離することを含んでいる。
【発明の詳細な説明】
【発明の分野】
【０００１】
本発明は、感圧式タッチパネルからの信号を処理する装置及び方法、並びに、それら装置及び方法を用いたタッチパネルシステムに関する。
【背景】
【０００２】
抵抗膜方式及び静電容量方式のタッチパネルは、コンピュータやモバイル機器の入力装置として使用される。投影型静電容量タッチパネルは、静電容量方式のタッチパネルの一種であってモバイル機器によく使用される。US2010/0079384A1には、投影型静電容量タッチパネルの一例が記載されている。
【０００３】
投影型静電容量タッチパネルは、導電性である対象物に接近されることにより生じる電界の変化を感知し、これによって動作する。投影型静電容量タッチパネルがタッチされた位置は、しばしば静電容量センサのアレイ又はグリッドが用いられて特定される。投影型静電容量タッチパネルは、一般的にはシングルタッチ事象とマルチタッチ事象とを区別することができるが、それらは、圧力感知を行うことができないという欠点を有する。従って、投影型静電容量タッチパネルは、比較的軽いタップと比較的重いプレスとを区別することができない傾向にある。感圧タッチパネルは、タッチパネルとのユーザインタラクションに関してさらなる情報を提供することにより、ユーザーが新しい方法でデバイスと相互作用することを可能にすることができる。
【０００４】
ＷＯ２０１６／１０２９７５Ａ２には、単一の信号が増幅され、続いて圧力成分と静電容量成分とに分離される、静電容量結合型感圧装置及び方法が記載されている。ＷＯ２０１７／１０９４５５Ａ１には、単一の信号を静電容量信号と増幅された圧力信号とに分離する、静電容量結合型感圧装置及び方法が記載されている。
【概要】
【０００５】
本発明の第１態様によれば、タッチパネルからの信号を処理する装置が提供される。前記タッチパネルは、複数の感知電極と少なくとも１つの共通電極との間に配置された圧電材料層を含んでいる。前記装置は、前記複数の感知電極に接続される第１回路を含んでいる。前記第１回路は、複数の第１圧力信号を生成するように構成されている。各第１圧力信号は、一又は複数の感知電極に対応しており、かつ、前記タッチパネルにおいて前記一又は複数の感知電極に近接する箇所に作用する圧力を示している。前記装置は、前記少なくとも１つの共通電極に接続された第２回路も含んでいる。前記第２回路は、前記タッチパネルに加えられた全圧力を示す第２圧力信号を生成するように構成されている。前記装置は、前記第２圧力信号と前記複数の第１圧力信号との加重和に基づいて外部干渉信号を測定するように構成された制御装置も含んでいる。前記制御装置は、前記外部干渉信号と予め較正された閾値とを比較するようにも構成されている。前記制御装置は、前記予め較正された閾値より大きい又はそれと同等である前記外部干渉信号に応じ、前記第１及び第２圧力信号が一又は複数の外部電界との結合により影響を受けたことを示す干渉フラグを出力するようにも構成されている。
【０００６】
各感知電極は、単一の第１圧力信号を提供するものであってもよい。
【０００７】
前記制御装置は、さらに、前記タッチパネルに圧力が加えられた位置を特定するように構成されてもよい。設定されている前記干渉フラグに応じて、前記制御装置は、一又は複数の外部電界への結合の前記影響を低減又は除去するように構成された信号後処理方法を使用して、前記第１及び／又は第２圧力信号を処理するように構成されてもよい。
【０００８】
一又は複数の外部電界との結合の前記影響を低減又は除去するように構成された信号後処理方法を使用した、前記第１及び/又は第２圧力信号の処理は、前記位置に近接する一又は複数の感知電極を特定すること、及び、前記特定された感知電極を、前記全圧力を測定する計算から除外することを含んでもよい。
【０００９】
前記制御装置は、さらに、前記除外されずに残っている感知電極に基づき、前記タッチパネルにおいて前記一又は複数の除外された感知電極に近接する箇所に作用する一又は複数の圧力の推定を行うように構成されてもよい。
【００１０】
前記第１回路は、各感知電極について、当該感知電極の静電容量を示す静電容量信号を生成するように構成されてもよい。前記制御装置は、前記タッチパネルに圧力が加えられた位置を前記静電容量信号に基づいて特定するように構成されてもよい。
【００１１】
前記第１圧力信号及び前記静電容量信号を生成することは、前記感知電極から受信した単一の信号を分離することを含んでいてもよい。
【００１２】
各第１圧力信号は、単一の感知電極に対応するものであってもよい。
【００１３】
タッチパネルシステムは、前記装置とタッチパネルとを含んでおり、当該タッチパネルは、複数の感知電極と少なくとも１つの共通電極との間に配置された圧電材料層を含んでいてもよい。
【００１４】
電子機器は、前記タッチパネルシステムを含んでもよい。
【００１５】
本発明の第２態様によれば、タッチパネルからの信号を処理する方法が提供される。前記タッチパネルは、複数の感知電極と少なくとも１つの共通電極との間に配置された圧電材料層を含んでいる。前記方法は、複数の第１圧力信号を生成することを含んでいる。各第１圧力信号は、一又は複数の感知電極から受信した信号に基づいている。各第１圧力信号は、前記タッチパネルにおいて前記対応する一又は複数の感知電極に近接する箇所に作用する圧力を示している。前記方法は、前記少なくとも１つの共通電極から受信された信号に基づいて第２圧力信号を生成することも含んでおり、当該第２圧力信号は、前記タッチパネルに加えられた全圧力を示すものであってよい。前記方法は、前記第２圧力信号と前記複数の第１圧力信号との加重和に基づいて外部干渉信号を測定することを含んでいてもよい。前記方法は、前記外部干渉信号と予め較正された閾値とを比較することを含んでいてもよい。前記方法は、前記予め較正された閾値より大きい又はそれと同等な前記外部干渉信号に応じ、前記第１及び第２圧力信号が一又は複数の外部電界と結合して影響を受けたことを示す干渉フラグを出力することを含んでいてもよい。
【００１６】
前記方法はまた、前記タッチパネルに圧力が加えられた位置を特定すること、及び、設定されている前記干渉フラグに応じて、一又は複数の外部電界との結合による前記影響を低減又は除去するように構成された信号後処理方法を用いて前記第１及び／又は第２圧力信号を処理することを含んでもよい。
【００１７】
一又は複数の外部電界との結合の前記影響を低減又は除去するように構成された信号後処理方法を使用して前記第１及び／又は第２圧力信号を処理することは、前記位置に近接する一又は複数の感知電極を特定することを含み、全圧力を測定するために後続の計算から、前記特定された感知電極を除外することを含んでもよい。
【００１８】
前記方法は、前記除外されずに残っている感知電極に基づき、前記タッチパネルにおいて前記一又は複数の除外された感知電極に近接する箇所に作用する一又は複数の圧力の推定を行うこと、を含むように構成されていてもよい。
【００１９】
前記方法は、各感知電極から受信した信号に基づいて、前記感知電極の静電容量を示す静電容量信号を生成することを含んでいてもよい。前記方法は、前記静電容量信号に基づいて、前記タッチパネルにおける圧力が加えられた位置を特定することを含んでもよい。
【００２０】
前記第１圧力信号及び前記静電容量信号を生成することは、前記感知電極から受信した単一の信号を分離することを含んでいてもよい。
【００２１】
各第１圧力信号は、単一の感知電極に対応するものであってもよい。
【図面の簡単な説明】
【００２２】
次に、添付の図面を参照しながら、本発明の特定の実施形態を例として説明する。
【図１】図１は、圧電センサの等価回路図である。
【図２】図２は、第１測定回路の回路図である。
【図３】図３は、第２測定回路の回路図である。
【図４】図４は、第３測定回路の回路図である。
【図５】図５は、第４測定回路の回路図である。
【図６】図６は、第５測定回路の回路図である。
【図７】図７は、圧電圧力測定用の第１タッチパネルの断面図である。
【図８】図８は、圧電圧力測定用の第１の装置を示している。
【図９−１０】図９及び図１０は、圧電圧力測定値を得る方法を示している。
【図１１】図１１は、外部干渉源の存在下における実際と理想との圧力信号の潜在的な差を示している。
【図１２】図１２は、外部源からの干渉を低減又は除去するために測定された圧力信号を後処理する例を示している。
【図１３】図１３は、感知電極及び共通電極上の外部誘導電荷に対応する測定信号を示している。
【図１４】図１４は、感知電極及び共通電極上の圧電誘導電荷に対応する測定信号を示している。
【図１５】図１５は、圧電圧力測定用の第２の装置を示している。
【図１６Ａ−１６Ｃ】図１６Ａから１６Ｃは、駆動信号に同期したアナログ・デジタル変換器を使用し、重なり合った静電容量及び圧電圧力の信号を分離することを示している。
【図１７】図１７は、圧電圧力測定用の電荷増幅器の構成の一例を示している。
【図１８】図１８は、圧電圧力測定用の第２タッチパネルの平面図である。
【図１９】図１９は、圧電圧力測定用の第３タッチパネルの平面図である。
【図２０】そして、図２０は、圧電圧力測定用の第３の装置を示している。
【詳細な説明】
【００２３】
以下の説明では、同一の部品は同一の参照符号によって示されている。
【００２４】
状況によっては、さまざまな不要な信号が、ユーザーの指又は導電性のスタイラスを介して、圧電感圧タッチパネル又は静電容量結合型圧電感圧タッチパネルの感知電極に結合する場合がある。このような信号は、所望の圧電圧力信号と共に増幅される場合があり、圧電圧力信号と同程度又はそれより大きい振幅である場合がある。例えば、ユーザーの指は、圧電感圧タッチパネル又は静電容量結合型圧電感圧タッチパネルのセンサーの上に置かれると、感知電極に主電源干渉を結合する場合がある。そのうえで又はそのかわりに、ユーザーは静電気を帯びる可能性があり、この静電気は圧電感圧タッチパネル又は静電容量結合型圧電感圧タッチパネルの感知電極に結合する場合がある。このような不要な信号の影響を低減又は除去することを目的として、信号後処理方法を採用することができる。しかしながら、真の信号を除去又は低減することを回避するために、不要な信号の発生を検出できることが重要である。本明細書では、このような不要な干渉の存在及び／又は程度を簡単かつ確実に検出する方法について説明する。
【００２５】
圧電センサは、低周波数で一般的に高い出力インピーダンスを有する二電極装置であり、これは、圧電センサを外部電界からの干渉を拾うことに対して脆弱にする場合がある。機械的歪みによって圧電センサの２つの電極に発生する所望の信号は互いに反対の極性である。これに対し、外部電界への結合による干渉は両方の電極で同じ極性になる。本明細書は、外部電界への結合に起因する干渉がより確実に検出され得るように、圧電材料層の両側に配置された電極からの信号を結合する方法及び装置を説明する。外部電界への結合に起因する干渉の存在を確実に検出すると、このような干渉を低減又は除去することを目的とした信号後処理方法を正確に適用することを可能にすることができる。
【００２６】
圧電感知
図１を参照すると、圧電センサ１の等価回路が示されている。
【００２７】
圧電センサ１は、コンデンサCpiezoに直列の電圧源Vpiezoとしてモデル化されてもよい。静電容量Cpiezoは第１及び第２の電極間の静電容量を表しており、これら第１及び第２電極は、これら第１及び第２電極の間に圧電材料が位置するように配置されている。電圧源Vpiezoは、圧電センサ１に力が加えられたときに静電容量Cpiezoをまたいで発生する開回路電圧を表す。
【００２８】
図２も参照すると、測定回路２の第１の例が示されている。
【００２９】
第１測定回路２は、圧電センサ１の両端に接続された入力を有するシングルエンド増幅器A1と、増幅器A1の出力及び反転入力の両端に抵抗器Rfb及びコンデンサCfbが並列に接続された形態である帰還回路とを含んでいる。実際には、第１測定回路２は、さらなる受動素子、帰還回路をリセットするためのスイッチなどを含んでいてもよい。使用される具体的な構成に応じて、第１測定回路２は、電圧、電流、電荷、又はそれらの組み合わせを測定してもよい
【００３０】
図３も参照すると、測定回路３の第２の例が示されている。
【００３１】
第２測定回路３は、シングルエンド増幅器A1の非反転入力が圧電センサ１の電極に接続されるのではなく接地されていることを除いて、第１測定回路と同じである。このようにして、第２測定回路３は、接地電位にある反転入力に流れる電流I1を測定する。第２測定回路のこの構成は、寄生した(parasitic)静電容量の影響を低減又は除去してもよい。理想的な状況では、測定された電流I1は誘導圧電電流信号Ipiezoに実質的に等しい、すなわちI1≒Ipiezoである。一般的には、第２測定回路３は、圧電センサ１の両端に誘導された電荷Qpiezoに対応する電荷信号を出力Vout1に提供するために、電流信号I1を積分するように構成される。つまり、Vout1は、圧電電荷Qpiezoと関数的に関連しており、同様に圧電センサ１に加えられる力と関数的に関連する。
【００３２】
図４も参照すると、測定回路４の第３の例が示されている。
【００３３】
第３測定回路４は、外部干渉電磁波源Vintへの静電容量結合を表す等価回路５を含むことを除いて、第２測定回路３と同じである。
【００３４】
シングルエンド増幅器A1に関して起こり得る問題は、外部電界が増幅器の入力に電荷を誘導する場合があり、この電荷が圧電圧力信号として解釈される場合があることである。この問題は、圧電感圧タッチスクリーン又は静電容量タッチ結合型の圧電感圧タッチスクリーンの圧電力センサに生じる可能性がある。ユーザーの指又は導電性スタイラスは、測定され得る力を加えると、ガラス及び／又はプラスチックにより構成された一又は複数の薄層によって圧電力センサを形成する電極から、一般的には分離される。ユーザーの指又は導電性スタイラスは、圧電力センサを形成する電極に対して異なる電位にあってもよい。このような電位差は、例えば、静電気の帯電又は電気的性質を有する他電源への結合、例えば、主電源の電力供給によって引き起こされるピックアップによって生じる可能性がある。
【００３５】
第３測定回路４では、干渉電磁波源Vintが１対の静電容量Cint1及びCint2を介して圧電センサ１の両電極に接続されている。よって、測定された信号I1は所望の圧電圧力信号Ipiezoと不要な干渉信号Iint1との重ね合わせであり、すなわちI1 = Ipiezo + Iint1である。測定された信号I1に干渉信号成分Iint1を含めることは、加えられた力を測定する際に誤差、例えば加えられた力の誤検出、及び／又は加えられた力の最小の確実に測定可能な増加分の増加を引き起こす場合がある。不要な干渉信号Iint1の影響を低減又は除去するために試験的に信号後処理方法が適用されてもよいが、このような後処理は、測定される信号 I1が知られている場合あるいは、測定された信号I1が不要な干渉信号Iint1に影響された可能性が高い場合にのみ、適用されるのが好ましいであろう。さもなければ、真の信号Ipiezo を低減又は除去してしまう場合がある。
【００３６】
差動測定
圧電センサ１を構成する１対の第１電極と第２電極との間にある圧電材料の分極Ｐに応じて電流が誘導されると、この電流は、第１電極及び第２電極のそれぞれにおいて互いに反対の符号（sense）を有する。これに対し、外部源Vintによって誘導された干渉信号は、圧電センサ１を形成する第１及び第２電極に対して同じ符号を有する。外部電界への結合によって引き起こされる干渉の影響を低減するためには、差動測定を行うことが一法である。
【００３７】
図５も参照すると、測定回路６の第４の例が示されている。
【００３８】
第４測定回路６において、第１シングルエンド増幅器A１が第１測定電流I1を受け入れるために、第１シングルエンド増幅器A１の一方の入力が圧電センサ１の第１電極７に接続され、第１増幅器A１の他方の入力は接地される。同様に、第２シングルエンド増幅器A２が第２測定電流I2を受け入れるために、第２シングルエンド増幅器A2の一方の入力は圧電センサ１の第２電極８に接続され、第２増幅器A2の他方の入力は接地される。第３シングルエンド増幅器A3の一方の入力が第１増幅器Ａ１の出力Vout1に接続され、第３シングルエンド増幅器A３の他方の入力が第２増幅器A2の出力Vout2に接続される。増幅器A1、A2、A3のそれぞれは、抵抗―静電容量型帰還回路Rfb1-Cfb1、Rfb2-Cfb2、Rfb3-Cfb3それぞれ有する。
【００３９】
干渉源Vint は、第１静電容量Cint1によって第１電極７に静電容量接続され、かつ、第２静電容量Cint2によって第２電極８に静電容量接続されている。前述したように、電流Ipiezoは、第１及び第２電極７、８の間にある圧電材料の分極Pに応じて誘導されたものであり、端子７、８のそれぞれにおいて互いに反対の向き(sense)を有するのに対して、干渉信号Iint1、Iint2は、干渉源Vintによって誘導されたものであり、端子７、８のそれぞれについて同じ符号を有する。したがって、第１及び第２の測定された電流は以下のように近似されてもよい。
2019220162.tif 000003
第３増幅器A3は差を得るために使用され、Iint1≒Iint2であるとき、第３増幅器A3の出力Voutは以下に関連する。
2019220162.tif 000004
このように、圧電センサ１の両方の電極７、８から流れる電流を測定することによって、干渉源Vintの影響が低減又は除去されている圧電電流Ipiezoの大きさを測定することが可能となる。
【００４０】
あるいは、例えば出力Vout1、Vout2のうちの１つを反転することによって、第１増幅器A１及び第２増幅器A2の出力が代わりに合計される場合、その時は第３増幅器Ａ３の出力Voutが以下に関連する。
2019220162.tif 000005
このようにして、合計された信号は圧電電流Ipiezoとはほぼ無関係である場合がある。これは直感に反するように見えるかもしれないが、本明細書の発明者らは、合計された信号I1+I2が外部干渉源Vintの有無の指標として役立ち得ることを認識している。よって、外部干渉源Vintの影響を低減するためにこのような後処理が必要とされるとき、合計された信号I1+I2が信号後処理適用のトリガーとして使用され得る。不要な後処理を回避すれば、際だって強い又は鋭い真の信号を不注意で低減又は除去する可能性を減らすことができる。これは、圧電式タッチパネルシステム又は静電容量結合型の圧電式タッチパネルシステムの信頼性及び感知性を向上させる効果を奏し得る。単純な２電極圧電センサ１に適用されても、合計された信号I1 + I2を得ることの有用性はすぐには明らかではないかもしれないが、以下に説明されるように、この方法は、より多数の感知電極を含む圧電タッチパネル１０（図７）に適用されるときにより有用なものとなり得る。
【００４１】
一般的な場合では、Cint1≠Cint2かつIint1≠Iint2であれば、重み付き差分を使用することができる。例えば、αが較正実験から決定されたスカラー定数である場合にIint1= αIint2であるならば、干渉源の影響Vintは、以下を得ることによって低減又は除去されてもよい。
2019220162.tif 000006
これに対し、一般的な場合であっても、第１及び第２電極７、８で発生した圧電電流は、共に合計されることにより（例えば、測定誤差まで）実質的に互いに相殺し合うはずである。よって、測定された信号I1、I2が合計されたとき、圧電電流Ipiezoは（何らかの測定誤差を除いて）相殺されるべきであり、次の式を得る。
2019220162.tif 000007
一般に、測定された信号I1、I2の差又は合計の取得は、アナログ信号レベルで具体的に構成された回路によって、あるいは、デジタル信号に変換した後に後処理することによって、実行され得る。例えば、第４測定回路６は、第１及び第２増幅器A1、A2の出力Vout1、Vout2の差を取得するように構成され、また別の構成では、前記合計は、第３増幅器A3を加算器（図示せず）で置き換えることによって取得されるものであってもよく、あるいは、第１及び第２増幅器A1、A2のいずれか１つの出力Vout1、Vout2を反転することによって取得されるものであってもよい。
【００４２】
干渉コンデンサCint1、Cint2の絶対値を知っている必要はない。式（４）から、第２電極８に導入されたノイズに対する第１電極７に導入されたノイズの比αだけが必要であることが認められ得る。比αは、較正実験から得られるものであり、例えば、圧電センサ１へ何ら力が加わらない場合、すなわち、I1 = Iint1 かつ I2 = Iint2である場合において、システムに干渉信号Vintを模したテスト信号を故意に導入し、第１及び第２の測定された電流I1,I2の反応を記録することによって得られるものである。この情報は、補正比をα＝ I1/I2として定義するために使用され得る。
【００４３】
実際には、前記補正は、第４測定回路６において、第１及び第２増幅器A1、A2の出力Vout1、Vout2の差を取得することによって実行され得る。この補正は、テスト信号に応じ、かつ、圧電センサ１に力が何ら加えられていないときに、出力Vout1、Vout2の比を得ることによって同様に較正され得る。もし較正から特定された比β=Vout1/Vout2がほぼ１ではない場合、重み付け差分Vout1-βVout2は、第１及び第２増幅器A1、A2の出力Vout1、Vout2と第３増幅器A３の各入力との間に適切なインピーダンスを挿入することによって得られ得る。あるいは、第３増幅器A3を省略してもよく、重み付き差分Vout1-βVout2をデジタル信号領域における処理により得てもよい。
【００４４】
あるいは、合計された信号、例えばI1+I2又はVout1+Vout2が得られるとき、定数αは測定されなくてもよい。一又は複数の閾値Vthreshは、干渉源Vintが何ら存在しない場合の合計された信号Vout1+Vout2に対するものであって事前に較正されるべきものである。続いて、合計された信号Vout1+Vout2が較正された閾値Vthreshを超える場合には、干渉源Vintが測定された信号I1、I2に影響を及ぼしていることが強く示唆されている。
【００４５】
図６も参照すると、測定回路９の第５の例が示されている。
【００４６】
第５測定回路９において、差動増幅器DA1は一方の入力と他方の入力とを有しており、この一方の入力が第１電極７に接続され、この他方の入力が第２電極８に接続されている。干渉源Vintの影響の低減又は除去は、干渉静電容量Cint1、Cint2の比に従って第１帰還回路Rfb1、Cfb1及び第２帰還回路Rfb2、Cfb2の値を設定することにより、アナログ領域で実施されてもよい。例えば、Cfb1/Cfb2=Cint1/Cint2を選択することによる。このような選択は、前述した較正実験と同様の較正実験を通じ、かつ、例えば帰還静電容量Cfb1、Cfb2を提供するためにトリマコンデンサを使用することによって実行されてもよい。
【００４７】
あるいは、合計信号を取得するために、第１及び第２電極７、８からの信号を加算器（図示せず）に入力してもよい。
【００４８】
圧電圧力測定用タッチパネルにおける測定
前述の例では、第１および第２の電極７、８が実質的に同一の広がりを持ち、かつ単純な幾何学形状である場合がある圧電センサ１に関して測定が説明されている。このような構成によって比較的簡単に差動測定を行うことが可能になる。しかしながら、圧電圧力測定用又は静電容量結合型の圧電圧力測定用の実際のタッチパネルにおいて、第１電極７は、共通の第２電極８を共有する多くの電極のうちの１つであってもよい。さらに、いくつかの例では、第１電極７は、静電容量測定システムの受信側であるＲｘ電極、及び／又は、静電容量測定システムの送信側であるＴｘ電極としてさらに機能してもよい。このようなタッチパネルでは、第２電極８は共通対向電極であり、この共通対向電極は、多数の第１電極７それぞれよりも、わずかに大きい、あるいは、はるかに大きい総面積を有していてもよい。仮に別々の整合した対向電極を用いるとすれば、Ｒｘ電極及び／又はＴｘ電極それぞれに結びついた同一対向電極は、一又は複数のさらなる導電性層パターン、及び、これに関連する電気的接続を必要とすることになる。よって、第４又は第５測定回路６、９に関して示されているような単純な差動測定は、実用的ではない、あるいは、望ましくない場合がある。
【００４９】
差動測定の代わりに、本明細書には、圧電圧力測定用タッチパネルからの信号の合計測定値を取得して使用する方法が記載されており、この圧電圧力測定用タッチパネルは、少なくとも１つのパターン化されていない共通電極（第２電極８に対応しており、適宜、対向電極と呼ばれる）を含んでいる。本明細書の方法は、静電容量結合型の圧電圧力測定用タッチパネルに等しく適用可能である。合計された信号は、例えば、干渉源Vint、ユーザーの静電気帯電などによって誘導された不要な干渉信号の有無を検出するために使用されてもよい。本明細書の方法は、圧電圧力測定用又は静電容量結合型の圧電圧力測定用のタッチパネルであって、２つ以上の第２電極８を有しており、かつ、各第２電極８が２つ以上の第１電極７に対して共通しているタッチパネルにも適用可能（わずかな変形と共に）なものである。
【００５０】
第１の装置
図７を参照すると、圧電圧力測定用又は静電容量結合型の圧電圧力測定用のタッチパネル１０の第１の例が示されている。
【００５１】
第１タッチパネル１０は、第１の面１２と第２の反対側の面１３とを有する第１層構造１１を含む。複数の第１感知電極１４は、第１層構造１１の第１の面１２上に配置されている。第１感知電極１４のそれぞれは、第１の方向ｘに延びており（すなわち、等価的に細長くなっている）、第１感知電極１４同士は第２の方向ｙにおいて互いに離間する。共通電極１５は、第１層構造１１の第２の面１３を実質的に覆うように配置されている。
【００５２】
第１層構造１１は一又は複数の層を含んでおり、当該層は少なくとも一つの圧電材料層１６を含んでいる。第１層構造１１に含まれる各層は、ほぼ平面状であり、厚さ方向ｚに対して垂直な第１の方向ｘ及び第２の方向ｙに延びている。第１層構造１１の各層の厚さ方向ｚが第１及び第２の面１２、１３に対してほぼ垂直になるように、第１層構造１１の一又は複数の層が第１及び第２の面１２、１３の間に配置されている。
【００５３】
第１タッチパネル１０はまた、第１の面１８および第２の反対側の面１９を有する第２層構造１７を含む。いくつかの第２感知電極２０は、第２層構造１７の第１の面１８上に配置されている。各第２感知電極２０は、第２の方向ｙに延びており（すなわち、等価的に細長くなっている）、第２感知電極２０同士は、第１の方向ｘにおいて互いに離間している。
【００５４】
第２層構造１７は、一又は複数の誘電体層２１を含んでいる。各誘電体層２１は、ほぼ平面状であり、厚さ方向ｚに垂直な第１のｘ方向及び第２のｙ方向に延びている。第２層構造１７の各誘電体層２１の厚さ方向ｚが第１及び第２の面１８、１９に対して垂直となるように、第２層構造１７の一又は複数の誘電体層２１は、第２層構造１７の第１及び第２の面１８、１９の間に配置されている。
【００５５】
好ましくは、圧電材料層１６は、ポリフッ化ビニリデン（ＰＶＤＦ）又はポリ乳酸のような圧電ポリマーを含むか、あるいは、このような圧電ポリマーから形成されている。しかしながら、圧電材料層１６は、代わりに、チタン酸ジルコン酸鉛（ＰＺＴ）のような圧電セラミック層であってもよい。好ましくは、第１及び第２感知電極１４、２０、並びに共通電極１５は、銀ナノワイヤから形成されている。しかし、第１及び第２感知電極１４、２０、並びに共通電極１５は、代わりに、酸化インジウム錫（ＩＴＯ）又は酸化インジウム亜鉛（ＩＺＯ）のような透明導電性酸化物で形成されてもよい。第１及び第２感知電極１４、２０、並びに共通電極１５は、アルミニウム、銅、銀、又は薄膜としての堆積及びパターニングに適した他の金属などの金属膜であってもよい。第１及び第２感知電極１４、２０、並びに共通電極１５は、ポリアニリン、ポリチオフェン、ポリピロール又はポリ（３，４-エチレンジオキシチオフェン）ポリスチレンスルホン酸（ＰＥＤＯＴ ／ ＰＳＳ）などの導電性ポリマーであってもよい。第１及び第２感知電極１４、２０、並びに共通電極１５は、金属メッシュ、金属ナノワイヤ、グラフェン、及び／又はカーボンナノチューブから形成されてもよい。誘電体層２１は、ポリエチレンテレフタレート（ＰＥＴ）のようなポリマー誘電体層又は感圧接着剤（ＰＳＡ）層を含んでもよい。しかし、誘電体層２１は、酸化アルミニウムのようなセラミック絶縁材料層を含んでもよい。
【００５６】
第１及び第２の対向面１２、１３が圧電材料層１６の面となるように、第１層構造１１は圧電材料層１６のみを含んでもよい。あるいは、第１層構造１１は、第１層構造１１の圧電材料層１６と第１の面１２との間に積層された一又は複数の誘電体層２１を含んでもよい。第１層構造１１は、第１層構造１１の第２の面１３と圧電材料層１６との間に積層された一又は複数の誘電体層２１を含んでいてもよい。
【００５７】
第２層構造１７は、第２層構造１７の第１及び第２の面１８、１９が単一の誘電体層２１の面であるように、単一の誘電体層２１のみを含んでもよい。
【００５８】
あるいは、第２層構造１７を使用する必要はなく（図１７参照）、第２感知電極２０は、第１感知電極（図１９）と共に第１の面１２上に配置されてもよい。
【００５９】
図７において、第１タッチパネル１０は、ｘ、ｙ及びｚとラベル付けされた直交軸が参照されて示されている。しかしながら、第１、第２及び厚さ方向は、右手直交セットを形成する必要はない。
【００６０】
図８も参照すると、圧電圧力測定用又は静電容量結合型の圧電圧力測定用の第１の装置２２が示されている。
【００６１】
第１の装置２２は、第１タッチパネル１０と、第１回路２３と、第２回路２４と、制御部２５とを備える。各第１及び第２感知電極１４、２０は、対応する導線２６によって第１回路２３に接続されている。共通電極１５は、第２回路２４に接続されている。
【００６２】
第１回路２３は、第１及び第２感知電極１４、２０から信号を受信し、かつ／あるいは、第１及び第２感知電極１４、２０に信号を送信する。第１回路２３は、第１圧電圧力信号２９を測定する。第１回路２３は、各第１及び第２感知電極１４、２０の一群又は個々に接続可能である。各第１圧電圧力信号２９は、一又は複数の第１又は第２感知電極１４、２０に対応しており、各第１圧電圧力信号２９は、タッチパネル１０において各第１又は第２感知電極１４、２０に近接する箇所に作用する圧力を示している。例えば、第１回路は、各第１感知電極１４に対応する第１圧電圧力信号２９及び各第２感知電極２０に対応する第１圧電圧力信号２９を測定又は生成してもよい。あるいは、各第１圧電圧力信号２９は、１対の隣接する第１又は第２感知電極１４、２０などに対応してもよい。各感知電極１４、２０は、１つの第１圧電圧力信号２９を提供することになる。
【００６３】
任意選択で、第１回路２３は、第１及び第２感知電極１４、２０の各交点２８に対応する相互静電容量信号２７を測定してもよい。他の例では、第１回路２３は、代わりに、各第１及び第２感知電極１４、２０に対応する自己静電容量信号を測定してもよい。第１回路２３は、静電容量信号２７と第１圧電圧力信号２９とを同時に測定してもよい。あるいは、第１回路２３は、静電容量信号２７と第１圧電圧力信号２９とを交互に測定してもよい。
【００６４】
例えば、第１回路２３は、その全体の内容が参照によりここに組み込まれるＷＯ２０１６／１０２９７５Ａ２に記載されているように、静電容量結合型の圧電圧力測定用に構成される場合がある。特に、第１回路２３は、ＷＯ２０１６／１０２９７５Ａ２の図２１から図２６に示される例に関して説明されているように構成されてもよい。あるいは、第１回路２３は、その全体の内容が参照によりここに組み込まれるＷＯ２０１７／１０９４５５Ａ１に記載されているように、静電容量結合型の圧電圧力測定用に構成される場合がある。特に、第１回路２３は、ＷＯ２０１７／１０９４５５Ａ１の図４から図２１に示される例に関する説明のように構成されてもよい。他の例では、第１回路２３は、特に図１５から図２０を参照して以下に説明されるように構成されてもよい。
【００６５】
しかしながら、本明細書の方法は、これらの例に限定されず、前述の機能を提供することができる第１回路２３であればいずれについても適用可能である。
【００６６】
第２回路２４は、共通電極１５に対応する第２圧電圧力信号３０を測定する。第２圧電信号３０は、タッチパネル１０に加えられた全圧力を示すはずである。複数の共通電極１５が使用されるとき、第２圧電信号３０は、各共通電極１５に対応して生成されてから制御装置２５によって合算されてもよい。あるいは、複数の共通電極１５が使用されるとき、第２回路２４は、全ての共通電極１５上に誘導された電荷をもとにして単一の第２圧電信号３０を生成してもよい。理想的な条件下でかつ外部干渉がない場合、第２圧電圧力信号３０と第１圧電信号２９との合計はほぼゼロ（測定誤差まで）になるはずである。なぜなら、感知電極１４、２０及び共通電極１５は、圧電材料層１６に引き起こされた分極Ｐの両側に配置されるためである。
【００６７】
圧電圧力信号２９、３０、及び任意選択で静電容量信号２７は、第１タッチパネル１０とのユーザインタラクション、あるいは、第１タッチパネル１０を覆う材料層とのユーザインタラクションに応じて生成される。以下の説明では、「ユーザインタラクション」への言及は、ユーザーがタッチパネル１０又は上に重なる材料層へのタッチ又はプレスを含むと解釈されるべきである。「ユーザインタラクション」という用語は、ユーザーの指又はスタイラス（導電性かどうかに関係なく）が関わる相互作用を含むと解釈されるべきである。「ユーザインタラクション」という用語はまた、タッチセンサ又はタッチパネルに対して物理的に直接接触していない（すなわち、加えられる圧力が、ゼロであるか、あるいは、無視できる）が近接しているユーザーの指又は導電性であるスタイラスを含むと解釈されるものとする。
【００６８】
制御装置２５は、第１及び第２圧電圧力信号２９、３０を受け取り、それらを合計して外部干渉信号３２を生成する。外部干渉信号３２は、重み付けされていない第１及び第２圧電圧力信号２９、３０に対する単純な合計であってもよく、あるいは、外部干渉信号３２は、第１及び第２圧電圧力信号２９、３０の加重和であってもよい。制御装置２５は、外部干渉信号３２を予め較正された閾値（例えばVthresh）と比較するようにも構成されている。制御装置２５は、予め較正された閾値以上である外部干渉信号３２に応じて、第１及び第２圧力信号２９、３０が一又は複数の外部電界への結合によって影響されたことを示す干渉フラグIntflagを出力するようにも構成されている。干渉フラグIntflagは、第１の装置２２を組み込んでいる機器（図示せず）を制御するプロセッサ（図示せず）に出力されてもよい。任意選択で、外部干渉信号３２は、外部干渉の大きさを示すためにプロセッサ（図示せず）に出力してもよい。さらなる例としては、外部干渉信号３２はプロセッサ（図示せず）に出力されてもよく、プロセッサ（図示せず）は上述した比較を実行して干渉フラグIntflagを生成してもよい。制御装置２５は、未処理の第１及び／又は第２圧電圧力信号２９、３０をプロセッサ（図示せず）にさらに中継し、プロセッサ（図示せず）は、第１の装置２２を組み込んでいる機器（図示せず）を操作する。
【００６９】
いくつかの例では、制御装置２５ではなくプロセッサ（図示せず）が単に第１及び第２圧力信号２９、３０をプロセッサ（図示せず）に出力してもよく、プロセッサ（図示せず）が外部干渉信号３２を測定してもよい。いくつかの例では、制御装置２５は、第１及び第２圧力信号２９、３０に基づいてタッチ位置データ３１を特定してもよい。タッチ位置データ３１は、一又は複数のユーザインタラクションの位置、例えばｘ、ｙ座標を示している。タッチ位置データ３１は、第１の装置２２を組み込んでいる機器（図示せず）を操作するプロセッサ（図示せず）に出力される。
【００７０】
測定が行われると、制御装置２５は、静電容量信号２７を受信し、第１の装置２２を組み込んでいる機器（図示せず）を操作するプロセッサ（図示せず）に静電容量信号２７を中継するか、あるいは、静電容量値２７のさらなる処理を実行する。例えば、制御装置２５は、静電容量値２７を処理して、第１の装置２２を組み込んでいる機器（図示せず）を操作するプロセッサ（図示せず）に出力するためのタッチ位置データ３１を生成してもよい。静電容量信号２７は、第１及び第２圧力信号２９、３０単独よりもタッチ位置データ３１のより正確な特定を可能にすることができる。
【００７１】
外部電界への結合の存在及び／又は程度を検出する方法
図９及び図１０も参照して、圧電圧力測定中に外部電界への結合の存在及び／又は程度を検出する方法を説明する。
【００７２】
対象物３３、例えば、ユーザーの指は、タッチパネル１０に近接又は接触しており、静電帯電によって、あるいは、電磁干渉源Vintのアンテナとして機能することによって、電位Vintに帯電してもよい。対象物３３と、感知電極１４、２０及び共通電極１５の全てによる全体の集合体との間には、静電容量結合Cextが存在する。総静電荷QESは、感知電極１４、２０及び共通電極２０の全てによる全体の集合体中に誘導され、QES=CextVintとして近似される。ユーザーがタッチパネル１０に対して自分の指及び／又はスタイラスを動かすにつれて正確な幾何学的配置が絶えず変化するし、さらには異なるユーザー間及び同一ユーザーの異なる指間でも幾何学的配置は異なるため、実際にはCextを較正することができなくなる場合があることに注意すべきである。さらに、Vintは、一般的な方法では測定することができない場合がある。しかしながら、Cext及び／又はVintの測定又は推定は、外部電界への結合の存在及び／又は程度を検出する方法には必要ではない。
【００７３】
この方法は、電極１４、１５、２０に誘導された未知の総静電荷QESが、電極１４、１５、２０のそれぞれに誘導された個々の静電荷の合計から構成されるという前提に基づいている。 
【００７４】
以下においては、Ｍ個の第１感知電極１４のうちのｍ番目をymと代わりに表記する場合があり、Ｎ個の第２感知電極２０のうちのｎ番目をxnと代わりに表記する場合がある。対象物３３によってＮ個の第２感知電極２０のn番目xnに誘導された静電荷をSxnなどと表すと、対象物３３によってＭ個の第１感知電極１４のm番目ymに誘導された静電荷はSymなどと表され、かつ、対象物３３によって対向電極１５上に誘導された静電荷はSCEと表され、そして、総静電荷QESは次のように近似されてもよい。
2019220162.tif 000008
圧電材料層１６の分極Ｐが共通電極１５と感知電極xn、ymとの間に誘導されたると、感知電極xn、ymに誘導された電荷は、共通電極１５に誘導された電荷と反対の極性を有する。すなわち、対象物３３への外部結合は、システム接地又はコモンモード電圧とすべての電極xn、ym、１５による全体の集合体との間において電荷の流れを誘導し、一方、圧電材料層１６の分極Ｐは、対向電極１５と感知電極xn、ymとの間において電荷の流れを誘導する。前述のように、１つの結論は、圧電材料層１６の分極Ｐによって電荷が誘導されると、この電荷の合計は、ゼロになるか、少なくとも測定誤差内になると予想される、ということである。
【００７５】
圧電材料層１６の分極ＰによってＮ個の第２感知電極のｎ番目xnに誘導される圧電電荷がFxn等と表記され、圧電材料層１６の分極ＰによってＭ個の第１感知電極のｍ番目yn に誘導される圧電電荷がFym等と表記され、そして、圧電材料層１６の分極Ｐによって対向電極１５上に誘導される圧電電荷がFCEと表されると、その時、総誘導圧電電荷QPTは次のように近似されてもよい。
2019220162.tif 000009
対向電極１５上に圧電電荷FCEが誘導されると、タッチパネル１０に加えられた全ての力は良好に測定され得ることに留意されたい。
【００７６】
特に図１０を参照すると、Ｎ個の第２感知電極２０のｎ番目xnに誘導される電荷は、次のように表されてもよい。
2019220162.tif 000010
同様に、Ｍ個の第１感知電極１４のm番目ymに誘導される電荷は、次のように記述されてもよい。
2019220162.tif 000011
そして、対向電極１５に誘導された電荷は、次のように記述されてもよい。
2019220162.tif 000012
外部電界への結合の存在及び／又は程度を検出する方法では、すべての感知電極xn、ymで測定された電荷Qxn、Qymが共通電極１５で測定された電荷SCEと合計されて次の式が生み出される。
2019220162.tif 000013
ここで、Qextは、共通電極１５と全ての感知電極xn, ymによって測定された全電荷の合計である。外部干渉信号３２は、合計Qextに対応するか関連してもよい。式（６）及び（７）を参照すると、理想的な条件下では、式（１１）の第１の括弧で囲まれた項は総静電荷QESに等しく、式（１１）の第２の括弧で囲まれた項はゼロに等しい。実際、非理想的な条件下においては、外部干渉信号３２であるQextは、やはり総静電荷QESに次のように近似されてもよい。
2019220162.tif 000014
実際には、Ｎ個の第２感知電極２０のn番目xnに対応する電圧出力がVxnであってQxnなどに関連しているとするように、電荷Qxn、Qym、QCEは、電荷増幅器３４を使用して検出されてもよい。通常、電荷増幅器３４が入力電流を積分するであろう。例えば、Ｎ個の第２感知電極のｎ番目xnの電流がIxnであれば、その時、時間ｔにおけるＮ個の第２感知電極のｎ番目xnの電圧Vxnは、理想的な条件下では次のように表されてもよい。
2019220162.tif 000015
ここで、Gxnは、Ｎ個の第２感知電極xnに接続されたＮ個の電荷増幅器３４のｎ番目の利得であり、τは、積分変数である。同様に、Ｍ個の第１感知電極のｍ番目ym の電圧は、次のように表されてもよい。
2019220162.tif 000016
ここで、Gymは、Ｍ個の第１感知電極ynに接続されたＭ個の電荷増幅器３４のｍ番目の利得であり、Iymは、Ｍ個の第１感知電極のｍ番目ymの電流であり、τは、積分変数である。同様に、共通電極１５の電圧は次のように表されてもよい。
2019220162.tif 000017
ここで、GCEは共通電極１５に接続された電荷増幅器３４の利得であり、ICEは共通電極１５上の電流であり、そしてτは積分変数である。外部干渉信号３２は、この例においてはVextと表記されており、全ての電荷増幅器３４の信号の合計として近似されてもよい。
2019220162.tif 000018
Gxn≒Gym≒GCE≒Gであるように利得が全て実質的に等しい場合、電圧Vextに関する外部干渉信号３２は、電荷Qextに関する外部干渉信号３２の単純な倍数、すなわちVext≒G・Qextとして表されてもよい。しかしながら、実際には、電荷増幅器３４の利得Gxn、Gym、GCEは同一ではない。さらに、各電荷増幅器３４においては、実際には、電圧出力における低周波数成分及びＤＣ成分の時間依存減衰（適宜「ロールオフ」とも呼ばれる）に加えて、ＤＣオフセット及びドリフトが生じる。
【００７７】
したがって、実際面では、外部干渉信号３２は、干渉源Ｖintによって誘導された電荷QESの測定値にノイズ項を加えたものに対応したものとしてみなされてもよい。
2019220162.tif 000019
ここで、GTは電荷増幅器３４の総合利得に関する定数であり、εは前述の様々な原因から生じる瞬間的な誤差又はノイズを表す項目である。ノイズ項εは、主に、個々の電荷増幅器３４の利得Gxn, Gym, GCE同士のわずかな不均衡のために相殺されなかった圧力信号の残留成分から主に構成されると考えられる。定数GTの値は、較正されてもよいが較正される必要はない。必要とされるのは適切な閾値Vthreshを決定することだけであり、それを超えると、外部干渉信号３２であるVextが干渉源Vintの影響を検出していることが確実に特定することができる。
【００７８】
例えば、タッチパネル１０は、遮蔽された入れ物内において、非導電性であるスタイラス又は同等の対象物３３を用いて力が入力される領域に配置されてもよい。このような状況下では、外部から誘導される総電荷QESがほぼゼロになるはずであるため、式（１７）は次のようになる。
2019220162.tif 000020
加えられた力の適切な範囲、例えば０．５Ｎ〜１０Ｎの間にわたる適切な長さの信号を記録した後、適切な閾値Vthreshが、εの測定値に基づいて決定される場合がある。閾値Vthreshは、記録されたεの最大絶対値の倍数として設定されてもよい。例えば、Vthresh ＝ １．５×max（｜ε｜）又はVthresh ＝ ２×max（｜ε｜）などである。
【００７９】
あるいは、εの測定値に基づいて標準誤差σεが算出されてもよく、閾値電圧Vthreshは標準誤差σεの倍数に設定されてもよい。例えば、Vthresh＝３×σε又はVthresh＝５×σεである。
【００８０】
使用中、制御装置２５は、電荷増幅器出力VCE, Vxn, Vymにわたる和として外部干渉信号３２であるVextを取得してもよく、Vextを予め較正された閾値Vthreshと比較してもよい。外部干渉信号３２の振幅が閾値Vthreshよりも小さい場合、すなわち、｜Vext｜＜Vthreshの場合、圧電圧力信号２９、３０は、外部干渉源Vintによって大きく影響されたものである可能性は低い。この場合、干渉フラグIntflagは、未設定のままであるか、「偽」又はゼロなどの値に設定される。しかしながら、外部干渉信号３２の振幅が閾値Vthresh以上である場合、すなわち、｜Vext｜≧Vthreshであると、圧電圧力信号２９、３０は、おそらく外部干渉源Vintによって影響されているものである。この場合、干渉フラグIntflagは、例えば、「真」、１(unity)などの適切な値で設定される。
【００８１】
第１及び第２圧電圧力信号２９、３０における外部電気干渉の存在及び／又は程度を特定する機能は、外部干渉源Vintの影響を低減又は除去するための適切な後処理方法の適用を可能にすることができる。
【００８２】
いくつかの例では、すべての電荷増幅器３４の出力Vxn, Vym, VCE に対する単純な非加重和(unweighted sum)よりも、出力Vxn, Vym, VCE に対する加重和として外部干渉信号３２を計算することが有利である場合がある。例えば、重み付き外部干渉信号３２であるV'extは、次の式に従って決められてもよい。
2019220162.tif 000021
ここで、AxnはGT/Gxnに対応する定数であり、AymはGT/Gymに対応する定数であり、ACEはGT/GCEに対応する定数であり、ε'はノイズ低減信号である。また、重み付け係数Axn、Aym、ACEが適切に較正された式（１６）もまた参照すると、重み付けされた外部干渉信号３２であるV'extは、電荷増幅器３４の利得Gxn、Gym、GCEのあらゆる変動からの影響を受けにくくなり得る。重み付け係数Axn、Aym、ACEのすべてが等しい、すなわちAxn = Aym = ACEであるとき、式（１７）が式（１９）の特別な場合に対応することは明らかである。
【００８３】
外部の電気的ノイズを低減又は除去する後処理の例
本明細書の主題は、外部電界への結合の存在及び／又は程度、例えば外部干渉源Vintからの干渉を測定する方法である。外部電界への結合の存在がいったん検出されると、例えば外部干渉源Vintの影響による結果を低減又は除去するために使用される後処理の種類は、特に限定されない。任意の適切な後処理を使用することができる。しかしながら、外部電界への結合の存在及び／又は程度を特定する既述の方法の有用性を説明することを助けるために、適切な後処理方法の具体的かつ非限定的な例を検討することは有用である場合がある。
【００８４】
圧電式又は静電容量結合型圧電式の感知用のタッチパネル１０においては、加えられた力の作用は、一般的には、少なくともある程度まで感知電極１４、２０のすべてによって検出される。これは、タッチパネル１０がカバーレンズ（不図示）を含んでおりカバーレンズが多くの場合堅いガラスであること、圧電材料層１６のほぼすべての部分が面内伸縮を行うようにタッチパネル１０がまとまって曲がること、に起因すると考えられる。最大歪み及び最大圧電圧力信号２９は、タッチパネル１０上の機械的境界面の状態に依存するものであるため、ユーザインタラクションの位置の真下で生成される必要はないことに留意すべきである。
【００８５】
例えば、図１１も参照すると、N=２１における第２感知電極２０(x1〜x21)の１６番目の上方に直接力が加えられた結果として理想的な基礎圧力信号値３５の視覚的説明図が示されている。
【００８６】
単に例示の目的のために、基礎圧力信号値３５は、両端（x1、x21）のいずれかで単純に支持されているオイラー梁としてモデル化されたタッチパネル１０の歪みに比例するように表されている。基礎圧力信号値３５は、外部電界からの干渉がない時に測定されるかもしれない値を表している。実際には、タッチパネル１０の歪みは、実質的にさらに複雑なプレート歪み問題に当たるであろう。しかしながら、図１１の例証は、ユーザインタラクションの位置が第１圧力信号２９の最大値に対応する必要がないことを視覚化するのを助けるのに役立つ。一般に、第１及び第２感知電極１４、２０の一群又は全部からの圧力信号２９は、一又は複数のユーザインタラクションによって加えられた力を推測するために、関連するプレート歪み問題を反転させることに使用されてもよい。
【００８７】
これに対し、感知電極１４、２０間の相互静電容量に対するユーザインタラクションの影響は、タッチパネル１０に接触している対象物３３に対して直近及び次に直近の電極１４、２０に集中することが多い。同様に、対象物３３によって感知電極１０に結合された電気的干渉は、一般的には対象物３３に最も近い感知電極１４、２０に対して最大である。
【００８８】
再び図１１を参照すると、測定された圧力信号値３６は、対象物３３が第１及び第２感知電極１４、２０に結合する結果として、力の作用点に近い基礎圧力信号値３５からずれる場合がある。例えば、この例では、測定値V16は、ユーザインタラクションに直近の第２感知電極２０のx16に対応しており、対象物３３によって結合された外部干渉によって強く影響を受けた可能性がある。値V15、V17は、次に直近の第２感知電極２０であるx15、x17に対応しており、対象物３３によって結合されたいずれかの外部干渉によって著しく影響を受けた可能性もある。このような局所的なずれは、外部電界との結合によって引き起こされて誤差を引き起こす場合がある。例えば、測定された圧力信号値３６に基づく近似プロセスが、基礎となる値３５からずれ、それによって一又は複数のユーザインタラクションによって加えられる力の不正確な再構成をもたらす場合がある。図１１では、測定された圧力信号値３６への多項式最適近似線３７（３次、破線）を使用した近似の例は、基礎となる圧力信号値３５から著しく歪んで離れている、と認められ得る。このずれは主に、外部電界、例えば対象物３３に結合された干渉源Vintとの結合によって最も影響を受ける値V15、V16、V17による結果として生じる。
【００８９】
しかしながら、測定された圧力信号値３６が外部干渉に結合されたかを特定するために本明細書の方法が採用される場合、外部干渉の影響を低減又は除去するために後処理方法が採用され得る。
【００９０】
例えば、図１２も参照すると、１つの単純で非限定的な例において、上述した直近のV16及び次に直近のV15、V17の測定値は、外部電界への結合の検出に応じて、すなわち、干渉フラグ Intflagが「真」や１(unity)などの値で設定された時に、単純に除外されてもよい。たとえば、Vext≧Vthreshの時である。
【００９１】
直近のV16および次に直近のV15、V17の測定値が除外されると、多項式最適近似線３７（３次、破線）は、基礎となる圧力信号値３５とよりよく一致することを示すことが観測され得る。どのような関数の形態において近似又は補間を行っても同様の効果が予測されるだろう。
【００９２】
この方法において、外部電界への結合の検出がないとき（すなわち、干渉フラグIntflagが、設定されていないか、または、「偽」、ゼロなどの値を有するとき）、加えられた圧力／力をできるだけ正確に測定するために、すべての測定圧力信号値３６が、タッチパネル１０の歪みに関する最も正確な近似を特定するために使用されてもよい。しかしながら、本明細書の方法が外部干渉源Vintとの結合を検出するとき、例えば、Vext≧Vthreshのとき（すなわち、干渉フラグIngflagが「真」、１などの値で設定されるとき）、外部干渉の影響を低減又は除去するために、最も影響を受ける値が除外されてもよい。
【００９３】
図１１及び図１２を参照して図示及び説明された前述の例は、本明細書の方法を使用して外部干渉の存在及び／又は程度を単純かつ確実に特定できることの技術的重要性を説明するためだけに提供されている。
【００９４】
さらなる例では、除外されていない測定圧力信号値３６への近似を使用して、一又は複数の除外された測定圧力信号値３６に対する置換値を補間または外挿してもよい。
【００９５】
実験データ
図１３も参照すると、感知電極xn、ym及び共通電極１５上に外部から誘導された電荷を示す実験データが示されている。
【００９６】
第１電圧信号３８（実線）は、共通電極１５について測定された電荷増幅器３４の出力に対応する。第２電圧信号３９（破線）は、感知電極xn、ymについて測定された電荷増幅器の出力に対応する。図１３に示される信号３８、３９は対象物３３を使用して得られたものであり、対象物３３は、静電電位に帯電した指の形状であり、かつ、タッチパネル１０にほぼ接触するように保持されている。圧力は、タッチパネル１０にはかけられていない。    
【００９７】
図１３では、第１および第２電圧信号３８、３９は対応する符号を有する（すなわち、信号は所与の時間に実質的に同じ極性を有する）ことが観測される場合がある。
【００９８】
図１４も参照すると、感知電極xn、ym及び共通電極上の圧電誘導電荷を示す実験データが示されている。
【００９９】
第１及び第２電圧信号３８、３９は、図１３と同様に、それぞれ共通電極１５及び感知電極xn、ymに対応する。しかしながら、図１４に示されるデータは、外部電界からのノイズが実質的にない圧電圧力信号を生成するために、非導電性対象物を用いてタッチパネル１０をタップすることに応じて取得されたものである。
【０１００】
図１４では、第１及び第２電圧信号３８、３９は反対の符号を有する（すなわち、これら信号は所与の時間に実質的に反対の極性を有する）ことが認められ得る。
【０１０１】
観測された極性は、図の３８、３９のどちらの場合でも、理想的な場合と正確には一致せず、DCオフセットの小さな変動やその他の測定エラーの所産であると考えられる。
【０１０２】
第２の装置
静電容量結合型感圧装置は、ＷＯ２０１６／１０２９７５Ａ２に記載されており、特にこの文献の図２２から図２６において言及されている。
【０１０３】
第２の装置４０（本明細書の図１５）の理解を助けるために、ＷＯ２０１６／１０２９７５Ａ２に記載されているように、静電容量結合型感圧装置の動作を簡単に検討することは有用であるであろう。以下の説明は、本明細書の第１タッチパネル１０の構造を参照して行われる。
【０１０４】
圧電材料層１６は分極されている。その結果、ユーザインタラクションによって加えられた圧力は、圧電材料層１６の分極Ｐを誘導する歪みを引き起こす。圧電材料層１６の分極Ｐは、厚さ方向に成分Ezを有する誘導電界Epをもたらす。分極Ｐを生じさせる変形は、圧縮又は伸張から生じる場合がある。分極Ｐを生じさせる上記変形は、主に、ユーザインタラクションにより加えられた圧力に応じた圧電材料層１６における面内ひずみであってもよい。
【０１０５】
誘導電界Epは、共通電極１５と感知電極１４、２０のいずれか一方との間に電位差を生じさせる。電子は、誘導電界Epが電極１４、１５、２０の帯電によって生じる電界Eqによって相殺されるまで、電極１４、１５、２０上において、あるいは、電極１４、１５、２０から離れて流れる。すなわち、電界Eqは電荷Fxn、Fym、FCEから生じる。
【０１０６】
タッチパネル１０が静電容量結合型感圧用に使用される場合、感知電極１４、２０から受信された信号は、一般に、圧電信号圧力信号と印加又は感知された静電容量測定信号との重ね合わせの形をとる。静電容量結合型感圧装置は、ＷＯ２０１６ ／ １０２９７５Ａ２に記載されているように、特に図２２-図２６において言及されているように、第１及び第２の周波数依存フィルタ（図示せず）を用いて動作し、感知電極１４、２０から受信した信号を、静電容量情報を含む第１成分と圧電圧力情報を含む第２成分とに分離する。第１及び第２周波数依存フィルタ（図示せず）は、物理フィルタであってもよく、または、デジタル信号処理中に適用されるものであってもよい。これが可能な理由は、互いに異なっていて分離可能な周波数成分を圧電圧力信号と静電容量測定信号とが一般的に有することである。
【０１０７】
例えば、１対の感知電極１４、２０間の相互静電容量は、一般的には０．１ｐＦ以上３０００ｐＦ未満又はそれ以上であり、好ましくは１００ｐＦ以上２５００ｐＦ以下の範囲内に入ってもよい。この範囲の静電容量に効果的に結合するために、静電容量測定信号は、通常、１０ｋＨｚもしくは１０ｋＨｚ以上、２０ｋＨｚもしくは２０ｋＨｚ以上、５０ｋＨｚもしくは５０ｋＨｚ以上、または、１００ｋＨｚもしくは１００ｋＨｚ以上の基本周波数を有してもよい。これに対し、圧電圧力信号は、一般的には数Ｈｚから数百又は数千Ｈｚの範囲にわたる広帯域周波数成分を含む。これは、少なくとも部分的には、圧電圧力信号が人間であるユーザーによるユーザインタラクションから生じるためである。
【０１０８】
図１５も参照すると、静電容量結合型の差動圧電圧力測定用の第２の装置４０が示されている。
【０１０９】
ＷＯ２０１６／１０２９７５Ａ２に記載されている装置では、第１及び第２周波数依存フィルタ（図示せず）は、例えば制御装置により、フロントエンドモジュールの一部としてハードウェアで、または、デジタル領域で実装されている。これに対し、本明細書の第２の装置４０は、第１サンプリング周波数fpiezoにて静電容量測定信号４２と同期されたアナログデジタル変換器（ＡＤＣ）４１ａ、４１ｂを使用して、第１圧電圧力信号２９を選択する第１周波数依存フィルタを実装する。第２の装置４０は、静電容量信号２７を取得するためにデジタル領域で第２周波数依存フィルタを実装する。例えば、デジタルハイパスフィルタを適用することによるか、または、第１圧電圧力信号２９のより新しい一又は複数のサンプル値を用いて基線(baseline)を提供することによる。
【０１１０】
第２の装置４０は、静電容量結合型の差動圧力感知用の第１タッチパネル１０とタッチ制御装置４３とを含む。第２の装置４０は、例えば携帯電話、タブレットコンピュータ、ラップトップコンピュータなどの電子機器（図示せず）に組み込まれてもよい。第１タッチパネル１０は、電子機器（図示せず）のディスプレイ（図示せず）を覆うように接着されてもよい。この場合、第１タッチパネル１０の材料は実質的に透明であるべきである。カバーレンズ（図示せず）が第１タッチパネル１０を覆って接着されてもよい。カバーレンズ（図示せず）は、好ましくはガラスであるが、いかなる透明な材料であってもよい。
【０１１１】
タッチ制御装置４３は、制御装置２５を含む。タッチ制御装置４３はまた、一対の増幅器モジュール４４ａ、４４ｂ、一対のマルチプレクサ４５ａ、４５ｂ、一対の一次ＡＤＣ４１ａ、４１ｂ及び一対の二次ＡＤＣ４６ａ、４６ｂを含む第１回路２３を含んでいる。タッチ制御装置はまた、共通電極電荷増幅器４７及び共通電極ＡＤＣ４８を含む第２回路２４を含んでいる。制御装置２５は、リンク４９を使用している電子機器（図示せず）の一又は複数のプロセッサ（図示せず）と通信してもよい。制御装置２５は、駆動静電容量測定信号４２であるVsig(t)（図１６、以下では簡潔に「駆動信号」とも呼ばれる）を増幅器モジュール４４ａ、４４ｂの一方又は両方に提供するための信号源（図示せず）を含んでいる。
【０１１２】
第２の装置４０は次の例を参照して説明される。第１感知電極１４が送信側であるTx電極であり、かつ、第２感知電極２０が受信側であるRx電極であるように、駆動信号４２であるVsig(t)が第１増幅器モジュール４４ａに供給される。
【０１１３】
各増幅器モジュール４４ａ、４４ｂは、いくつかの単独の電荷増幅器３４を含む。第１増幅器モジュール４４ａの各電荷増幅器３４は、導線２６を介して、対応する第１感知電極１４に接続されている。第１増幅器モジュール４４ａの各電荷増幅器３４の出力は、第１マルチプレクサ４５ａの対応する入力に接続されている。このようにして、第１マルチプレクサ４５ａは、指定された第１感知電極１４に対応する増幅信号５０ａを出力してもよい。
【０１１４】
第１一次ＡＤＣ４１ａは、第１マルチプレクサ４５ａの出力から現在指定されている第１感知電極１４に対応する増幅信号５０ａを受信する。現在指定されている第１感知電極１４に対応する増幅信号５０ａは、駆動信号４２であるVsig(t)と圧電圧力信号２９であるVpiezo(t)との重ね合わせを含む。第１一次ＡＤＣ４１ａはまた、制御装置２５から第１同期信号５１ａ（「クロック信号」とも呼ばれる）を受信する。第１同期信号５１ａは、第１サンプリング周波数fpiezoにおいて、かつ、対応する駆動信号４２であるVsig(t)の振幅が接地、コモンモードもしくは最小値に実質的に等しい時において、サンプルを取得するように第１一次ＡＤＣ４１ａをトリガする。このようにして、第１一次ＡＤＣ４１ａは、サンプリング信号の形態にある第１フィルタ信号５２ａを得ることができ、この第１フィルタ信号５２ａは、第１マルチプレクサ４５ａに接続された第１感知電極１４によって生成される圧電圧力信号２９であるVpiezo(t)にほぼ対応する。第１同期信号５１ａは、駆動信号４２であるVsig(t)の全ての周期分のサンプルを取得するために第１一次ＡＤＣ４１ａをトリガする必要は無く、代わりに、例えば、１周期おき、１０周期毎、１００周期毎などの間に、第１一次ＡＤＣ４１ａをトリガしてサンプルを取得することができる。
【０１１５】
例えば、図１６Ａから図１６Ｃも参照すると、第１フィルタ信号５２ａの形態にある圧電圧力信号２９を取得する例が示されている。 
【０１１６】
視覚に訴えることを目的として、図１６Ａから図１６Ｃでは、駆動信号４２であるVsig(t)及び重ね合わされた圧電圧力信号２９であるVpiezo(t)においては、周波数及び振幅における不一致が実際に予想されるよりもはるかに小さくなって示されている。実際には、駆動信号４２であるVsig(t)は、圧電圧力信号２９であるVpiezo(t)よりも著しく大きな振幅を有すると予想され、かつ、圧電圧力信号２９であるVpiezo(t)よりも数桁大きい度合いで周波数を変化させると予想される。
【０１１７】
特に図１６Ａを参照すると、基本周波数fdを有する駆動信号４２であるVsig(t)の一例は、５０：５０のデューティ比及び1/fdの周期を有するパルス波の形態をとってもよい。この例では、第１同期信号５１ａは、駆動信号４２であるVsig(t)が最小又はゼロである期間のほぼ中間において、第１一次ＡＤＣ４１ａをトリガする。例えば、第１一次ＡＤＣ４１ａは、時間t1,t2=t1+1/fd,t3=t1+2/fdなどでサンプルを取得することができる。
【０１１８】
特に図１６Ｂを参照すると、第１感知電極１４が送信電極Ｔｘとして作用し、かつ、第２感知電極２０が受信電極Ｒｘとして作用する場合、増幅信号５０ａは圧電圧力信号２９であるVpiezo(t)と駆動信号４２であるVsig(t)との重ね合わせとして近似されてもよい。第１同期信号５１ａは、増幅信号５０ａに対する駆動信号４２であるVsig(t)の寄与が接地、コモンモード又は最小値に実質的に等しい時に、増幅信号５０ａのサンプルをトリガする。このようにして、実質的に圧電圧力信号２９であるVpiezo(t)のみのサンプリングを得ることができる。
【０１１９】
特に図１６Ｃを参照すると、第１フィルタ信号５２ａは、その後、時間t1、t2、t3などにおける圧電圧力信号２９であるVpiezo(t)の一連のサンプリング形態をとる。
【０１２０】
第１二次ＡＤＣ４６ａは、現在指定されている第１感知電極１４に対応する増幅信号５０ａを第１マルチプレクサ４５ａの出力から受信する。第１二次ＡＤＣ４６ａは、駆動信号４２であるVsig(t)の基本周波数fdの少なくとも数倍であるサンプリング周波数fcapで増幅信号５０ａをサンプリングする。第１二次ＡＤＣ４６ａは、デジタル化された増幅信号５３ａを制御装置２５に出力する。制御装置２５は、デジタル化された増幅信号５３ａを受信し、かつ、デジタルハイパスフィルタを適用してデジタル領域において第２のフィルタリングされた信号を取得する。第２のフィルタリングされた信号は、静電容量信号２７に対応する。
【０１２１】
あるいは、圧電圧力信号２９であるVpiezo(t)は、一般的には、駆動信号４２であるVsig(t)の基本周波数ｆｄよりも数桁低い周波数で変化するため、制御装置２５は、第１のフィルタリングされた信号５２ａの最新のサンプリング値、例えばVpiezo(t3)を追加のオフセットとして扱い、かつ、この値をデジタル増幅信号５３ａから減算してもよい。より正確な基線補正、例えば、第１のフィルタリングされた信号５２ａの最新の２つのサンプリング値に基づく線形補間、または、第１のフィルタリングされた信号５２ａの３つの最新のサンプリング値に基づく二次補間、が用いられてもよい。
【０１２２】
一次及び二次ＡＤＣ４１ａ、４６ａは同じであってもよい。しかしながら、一次及び二次ＡＤＣ４１ａ、４６ａが異なることは有利である場合がある。特に、一次ＡＤＣ４１ａは、駆動信号Vsig(t)に対応するより大きな振幅を測定する必要なしに、圧電圧力信号２９であるVpiezo(t)のダイナミックレンジ用に最適化されてもよい。さらに、第１サンプリング周波数fpizeoは最大でも静電容量測定信号４２であるVsig(t)の基本周波数ｆｄに等しくなければならないので、二次ＡＤＣ４６ａと比較して一次ＡＤＣ４１ａにはより低い帯域幅が必要とされる。コスト重視の用途では、これにより、一次ＡＤＣ４１ａ用のより安価なＡＤＣの使用が可能になる。これに対し、性能重視の用途では、これにより、同じダイナミックレンジ内でより多くの信号レベルを区別することを可能とする高精度ADCを使用することが可能になる（16ビットADCは、一般的には他の要件が同じなら8ビットADCよりも遅い）。
【０１２３】
第２感知電極２０からの信号の処理は、第１感知電極１４からの信号の処理と同様であるが、しかし、第２感知電極２０が受信側であるＲｘ電極であるので、第２一次ＡＤＣ４１ｂに対する第２同期信号５１ｂは第１同期信号５１ａに対してオフセットされてもよい。
【０１２４】
第２増幅器モジュール４４ｂの各電荷増幅器３４は、対応する第２感知電極２０に導線２６を介して接続され、第２増幅器モジュール４４ｂの各電荷増幅器３４の出力は、第２マルチプレクサ４５ｂの対応する入力に接続される。このようにして、第２マルチプレクサ４５ｂは、指定された第２感知電極２０に対応する増幅信号５０ｂを出力してもよい。
【０１２５】
現在指定されている第２感知電極２０に対応する増幅信号５０ｂは、受信静電容量測定信号（図示せず）Vmeas(t)と圧電圧力信号２９であるVpiezo(t)との重ね合わせを含む。受信容量測定信号Vmeas(t)（以下、簡潔に「受信信号」と呼ぶ）は、指定された第２感知電極２０と第１感知電極１４との間の相互静電容量によって指定された第２感知電極２０に結合された駆動信号４２であるVsig(t)である。受信信号Vmeas(t)は、駆動信号４２であるVsig(t)に関連し、かつ、駆動信号４２であるVsig(t)と同様の形態を有し、特に実質的に同じ周波数成分を有する。しかしながら、受信信号Vmeas(t)は、駆動信号Vsig(t)と比較して振幅の変化及び／又は位相の変化を含んでもよい。第２一次ＡＤＣ４１ｂは、制御装置２５から第２同期信号５１ｂ（「クロック信号」とも呼ばれる）を受信する。第２同期信号５１ｂは、第２一次ＡＤＣ４１ｂをトリガしてサンプルの取得を行い、この取得は、サンプリング周波数がfpiezoであり、かつ、対応する受信信号であるVmeas(t)の振幅が接地、コモンモード又は最小値に実質的に等しい時に行う。駆動信号４２であるVsig(t)の形態、及び駆動信号４２であるVsig(t)と受信信号Vmeas(t)との間の一般的な位相シフトに応じて、第１及び第２同期信号５１ａ、５１ｂの間にいくつかの可能な関係がある。
【０１２６】
受信信号Vmeas(t)が駆動信号４２であるVsig(t)とほぼ同相であるとき、第２同期信号５１ｂは第１同期信号５１ａと同じであってもよい。第２同期信号５１ｂは、増幅信号５０ｂに対する受信信号Vmeas(t)の寄与が実質的に接地、コモンモード又は最小値に等しいときに増幅信号５０ｂのサンプリングをトリガする。このようにして、実質的に、圧電圧力信号２９であるVpiezo(t)のみのサンプリングを得てもよい。
【０１２７】
同様に、図１６Ａに示されるようなパルス波の形態の駆動信号４２であるVsig(t)に対して、受信信号Vmeas(t)と駆動信号４２であるVsig(t)との間で生ずる最大約φ±π／２の小さな位相シフトφは、第１及び第２同期信号５１ａ、５１ｂの間に、いかなるオフセットも必要とせずに適応される場合がある。パルス波の場合、駆動信号４２であるVsig(t)及び受信信号Vmeas(t)は、それぞれの周期における半分の間、それぞれ実質的にゼロに等しいので、そのような位相シフトは許容される。
【０１２８】
より大きな位相シフトφまたは駆動信号４２であるVsig(t)の異なる非方形波形に対して、対応するタッチパネル１０について期待された／測定された静電容量の範囲内で、第２同期信号５１ｂは、受信信号Vmeas(t)の信号レベルが低い、またはゼロの期間に第２一次ＡＤＣ４１ｂをトリガするように、第２同期信号５１ｂは、第１同期信号５１ａに対してオフセットされてもよい。すなわち、第２同期信号５１ｂは、駆動信号４２であるVsig(t)の代わりに、第２一次ＡＤＣ４１ｂのサンプリングを受信信号Vmeas(t)に一致させてもよい。
【０１２９】
あるいは、第２同期信号５１ｂは、受信信号Vmeas(t)の状態に応じて発生し得る。例えば、単純な比較回路は、受信信号Vmeas(t)が予め較正された範囲内の接地、コモンモード又は最小値の範囲内に降下したことに応じて、第２同期信号５１ｂの生成に使用され得る。第２同期信号５１ｂをトリガする回路は遅延タイマを含んでもよい。 
【０１３０】
このようにして、第２一次ＡＤＣ４１ｂは、第２マルチプレクサ４５ｂを介して接続された第２感知電極２０によって生成された圧電圧力信号２９であるVpiezo(t)にほぼ対応するサンプリング信号の形態で第２フィルタ信号５２ｂを取得してもよい。第２同期信号５１ｂは、駆動信号４２であるVsig(t)又は測定信号Vmeas(t)の各単一周期間にサンプルを取得するために第２一次ＡＤＣ４１ｂをトリガする必要は無く、代わりに、例えば第２一次ＡＤＣ４１ｂをトリガして、例えば、１周期ごと、１０周期ごと、１００周期ごとなどでサンプルを取得してもよい。
【０１３１】
制御装置２５は、第２同期信号５４をマルチプレクサ４５ａ、４５ｂ及び／又は増幅器３４に提供してもよい。第２同期信号５４は、制御装置２５によって定められたシーケンスに従って、マルチプレクサ４５ａ、４５ｂに第１及び第２感知電極１４、２０の各組み合わせを指定させてもよい。このようにして、タッチ制御装置２５は、制御装置２５によって定められたシーケンスに従って、第１及び第２感知電極１４、２０の各対から増幅信号５０ａ、５０ｂを受信してもよい。このシーケンスは、予め定められてもよく、例えば、繰り返す前に、いったん第１感知電極１４及び第２感知電極２０の各対を選択してもよい。このシーケンスは動的に決定されてもよく、例えば、一又は複数のユーザインタラクションが検出された時に、制御装置２５は、ユーザーのタッチをより速く、かつ／あるいは、より正確にトラッキングするために、検出された各ユーザインタラクション位置に隣接する第１及び第２感知電極１４、２０のサブセットを走査してもよい。
【０１３２】
共通電極電荷増幅器４７は、共通電極１５から信号を受け取り、かつ、共通電極増幅信号５５を生成する。共通電極ＡＤＣ４８は、共通電極増幅信号５５を受け取り、かつ、それを圧電サンプリング周波数fpiezoでサンプリングして第２圧電信号３０を生成する。任意選択で、共通電極ＡＤＣ４８はまた、第１同期信号と同一又はオフセットが付いている場合がある第３同期信号５１ｃによって同期されて、駆動信号４２であるVsig(t)の接地、コモンモード又は最小の値、及び／又は、受信信号であるVmeas(t)の接地、コモンモード又は最小値に対応する時間に、第２圧電信号３０をサンプリングする。共通電極ＡＤＣ４８の同期は、静電容量測定値からのクロストークを低減又は回避するのに役立ち得る。
【０１３３】
得られたフィルタリングされた信号５２ａ、５２ｂに基づいて、制御装置２５は、指定された第１及び第２感知電極１４、２０に対応する外部干渉信号値３２ａ、３２ｂを計算してもよい。外部干渉信号値３２ａ、３２ｂは、前述の方法を使用して第１及び第２圧電圧力信号２９、３０に基づいて測定される。外部干渉信号値３２ａ、３２ｂは、リンク４９を介して出力されてもよい。
【０１３４】
前述したように、制御装置２５は、駆動信号４２であるVsig(t)を第１増幅モジュール４４ａの各増幅器３４に供給する。第１増幅器モジュール４４ａの各増幅器３４の入力は、駆動信号４２であるVsig(t)を使用して第１タッチパネル１０の対応する第１感知電極１４を駆動するために使用されてもよい。制御装置２５によって取得されたデジタル化された第１及び第２のデジタル化された増幅信号５３ａ、５３ｂと駆動信号４２であるVsig(t)に基づいて、制御装置２５は、指定された第１及び第２感知電極１４、２０間の相互静電容量をもとにした静電容量値２７及び／又はタッチデータ３１を計算する。静電容量値２７及び／又はタッチデータ３１は、リンク４９を介して出力されてもよい。
【０１３５】
図１７も参照すると、第２の装置４０での使用に適した電荷増幅器３４ａ、３４ｂ、４７による一つの構成の一例が示されている。
【０１３６】
一つの構成では、各電荷増幅器３４ａ、３４ｂ、４７は、反転入力、非反転入力、及び出力を有する演算増幅器ＯＰを含む。
【０１３７】
例えば、第１増幅器モジュール４４ａの一部を形成する各電荷増幅器３４ａは、直列に接続された入力抵抗Ri及び第１スイッチSW1を介して対応する第１感知電極１４に結合するための反転入力を有する演算増幅器ＯＰを含む。演算増幅器ＯＰの非反転入力は、駆動信号４２であるVsig(t)に接続されている。駆動信号４２であるVsig(t)は、制御装置２５によって提供されてもよく、第２の装置４０とは別のモジュール（図示せず）によって提供されてもよく、または、外部源から第２の装置４０により受信されてもよい。反転入力は、実質的に非反転入力と同じ電圧になるので、反転入力に対応する第１感知電極１４を駆動させることができる。電荷増幅器３４ａの帰還回路は、演算増幅器ＯＰの反転入力と出力との間に並列に接続された帰還抵抗Rf、帰還静電容量Cf及び第２スイッチSW2を含む。演算増幅器ＯＰの出力は、増幅信号５０ａを供給する。
【０１３８】
第２増幅器モジュール４４ｂの一部を形成する各電荷増幅器３４ｂは、演算増幅器ＯＰの非反転入力が駆動信号４２であるVsig(t)の代わりにコモンモード電圧VCMに結合され、反転入力が第１感知電極１４の代わりに第２感知電極２０に接続されている事を除き、第１増幅器モジュール４４ａの各電荷増幅器３４ａと同じである。
【０１３９】
共通電極用電荷増幅器４７は、共通電極用電荷増幅器４７の反転入力が共通電極１５に接続され、共通電極用電荷増幅器４７の第１スイッチSW1が省略されている点を除いて、第２増幅モジュール４４ｂと同じである。
【０１４０】
演算増幅器ＯＰの他端子であって動力供給端子のようなものが存在してもよいが、これら他端子は、ここに記載されている当該又は他の概略回路図には示されていない。
【０１４１】
第２スイッチSW2は、対応する帰還コンデンサCfの放電を可能にする。第２スイッチSW2の開閉は、制御装置２５によって提供される二次同期信号５４によって制御されてもよい。このようにして、各電荷増幅器３４ａ、３４ｂの帰還コンデンサCfは定期的に放電され、過度のドリフトを防ぐために演算増幅器ＯＰの帰還回路をリセットしてもよい。任意選択で、共通電極電荷増幅器４７の第２スイッチSW2も第２同期信号５４を使用して同期されてもよい。
【０１４２】
第１スイッチSW1は、制御装置２５によって提供される二次同期信号５４によって制御されてもよく、それにより必要に応じて、増幅器３４ａ、３４ｂを対応する感知電極１４、２０に接続するか、あるいは、それらから切断することが可能になる。
【０１４３】
第１感知電極１４は、送信側であるＴｘ電極である必要はなく、かつ、第２感知電極２０は、受信側であるＲｘ電極である必要はない。かわりに、制御装置２５は、第２感知電極２０が送信側であるＴｘ電極であり、かつ、受信信号Vmeas(t)が第１感知電極１４を使用して検出されるように、駆動信号４２であるVsig(t)を第２増幅器モジュール４４ｂに提供してもよい。
【０１４４】
他の例では、第２の装置４０は、相互静電容量測定用に構成される必要はなく、代わりに各第１及び第２感知電極１４、２０の自己静電容量を測定するように構成されてもよい。この場合、自己静電容量測定信号（図示せず）は、第１及び第２増幅器モジュール４４ａ、４４ｂの両方に供給されてもよい。
【０１４５】
第２タッチパネル
第１タッチパネル１０では、第１及び第２感知電極１４、２０は、細長い長方形の電極の形態で示されている。しかしながら、他の形状が使用されてもよい。
【０１４６】
図１８も参照すると、第１及び第２感知電極１４、２０の代わりの幾何学的形状を有する第２タッチパネル５６が示されている。
【０１４７】
各第１感知電極１４は、長方形であるかわりに、いくつかのパッド部５７を含んでもよく、これらパッド部５７は、第１の方向ｘにおいて等間隔に配置され、かつ、比較的狭い架橋部５８によって第１の方向ｘにおいて互いに接続されている。同様に、各第２感知電極２０はいくつかのパッド部５９を含んでもよく、これらパッド部５９は、第２の方向ｙにおいて等間隔に配置され、かつ、比較的狭い架橋部６０によって第２の方向ｙにおいて互いに接続されている。第１感知電極１４のパッド部５７は、第２の方向ｙにおいて第１の幅W1を有する菱形であり、第１感知電極１４の架橋部５８は第２の方向ｙにおいて第２の幅W2を有する。第２感知電極２０のパッド部５９及び架橋部６０は、第１感知電極１４と同様の形状及び幅W1、W2をそれぞれ有する。
【０１４８】
第１及び第２感知電極１４、２０は、第２感知電極２０の架橋部６０が第１感知電極１４の架橋部５８を覆うように配置されている。あるいは、第１及び第２感知電極１４、２０は、第２感知電極２０のパッド部５９が第１感知電極１４のパッド部５７を覆うように配置されてもよい。パッド部５７、５９は、菱形である必要はなく、代わりに円形であってもよい。パッド部５７、５９は、三角形、正方形、五角形又は六角形のような正多角形であってもよい。パッド部５７、５９は、Ｉ字形又はＺ字形であってもよい。
【０１４９】
第２タッチパネル５６とは別の幾何学的形状であっても、第１又は第２の装置２２、４０と組み合わせて等しく適用可能である。
【０１５０】
第３タッチパネル
図１９も参照すると、第３タッチパネル６１は、第１又は第２の装置２２、４０と組み合わせて使用されてもよい。
【０１５１】
第３タッチパネル６１は、第３タッチパネル６１が第２層構造１７を含まないこと、第２感知電極２０が第１感知電極１４に加えて第１層構造１１の第１の面１２に配置されていることを除いて、第１タッチパネル１０と実質的に同じである。各第１感知電極１４は、第１の方向ｘに延びる連続導電領域にある。例えば、各第１感知電極１４はいくつかのパッド部６２を含み、これらパッド部６２は、第１の方向ｘにおいて等間隔に配置され、かつ、比較的狭い架橋部６３によって第１の方向ｘに互いに接続されていてもよい。各第２感知電極２０は、第２の方向ｙにおいて等間隔に配置された複数のパッド部６４を含んでもよい。しかしながら、第２感知電極２０のパッド部６４は、第１層構造１１の第１の面１２上に配置され、第１感知電極１４で散在させられており、かつ、それらによって分離されている。各第２感知電極２０に対応するパッド部６４は、導電性ジャンパ６５によって共に接続されている。ジャンパ６５はそれぞれ第１感知電極１４の一部をまたいでおり、ジャンパ６５は絶縁材料薄層（図示せず）によって第１感知電極１４から絶縁されており、この絶縁材料薄層は、ジャンパ６５と第１感知電極１４との交差部の周囲の領域に局在してもよい。
【０１５２】
あるいは、絶縁材料薄層（図示せず）が、第１層構造１１の第１の面１２、第１感知電極１４、及び第２感知電極２０の導電パッド６４を覆ってもよい。第２の方向ｙに延びる導線（図示せず）を誘電体層（図示せず）の上方に配置し、１つの第２感知電極２０を構成しているパッド部６４を各導線（図示せず）で覆ってもよい。上に重なる導線（図示せず）は、絶縁薄層（図示せず）を貫通して形成されたビア（図示せず）を使用し、各第２感知電極２０を構成するパッド部６４同士を接続するものであってもよい。
【０１５３】
修正
上記の実施形態に対して多くの修正を加えることができることは理解されよう。このような修正は、等価な他の特徴を含むものであり、これらの特徴は、圧力型及び／又は投影型の静電容量感知タッチパネルの設計、製造及び使用において既に知られており、かつ、本明細書で既に説明された特徴に代えて又は当該特徴に加えて用いられ得るものであってよい。一つの実施形態の特徴は、他の実施形態の特徴によって置換又は補足されてもよい。
【０１５４】
第３の装置
図２０も参照すると、第３の装置６９は、静電容量結合型感圧用の第１タッチパネル１０と第２制御装置７０とを含んでいる。
【０１５５】
第２制御装置７０は、第２制御装置７０において、第１感知電極１４からの入力信号が第１マルチプレクサ４５ａによって単一の電荷増幅器３４ａに接続されていることを除いて、第１制御装置４３と同じである。電荷増幅器３４ａは第１増幅信号５０ａを出力し、第１増幅信号５０ａは、第１制御装置４３と同様に、第１一次ＡＤＣ４１ａ、第１二次ＡＤＣ４６ａ及び制御装置２５によって処理されている。同様に、第２感知電極２０からの入力信号は、第２マルチプレクサ４５ｂによって単一の電荷増幅器３４ｂに接続されている。電荷増幅器３４ｂは第２増幅信号５０ｂを出力し、第２増幅信号５０ｂは、第１制御装置４３と同様に、第２一次ＡＤＣ４１ｂ、第２二次ＡＤＣ４６ｂ及び制御装置２５によって処理される。共通電極１５からの信号の取得及び処理は、第２の装置４０の場合と同じである。
【０１５６】
第１制御装置４３と同様に、一次及び二次ＡＤＣ４１、４６の使用は必須ではない。代わりとして、信号５２、５３を順次取得するために、圧電サンプリング周波数fpiezo及び静電容量サンプリング周波数fcapで交互に動作することができる単一のＡＤＣ（図示せず）を使用できる。
【０１５７】
上述した例は、主に静電容量結合型圧電タッチパネル及び装置に関連して説明されたものであるが、本明細書の方法は、静電容量を測定せずに圧電圧力信号のみを測定するタッチパネル装置にも使用されてもよいことを理解されたい。 
【０１５８】
前述の例においては第１圧電圧力信号２９は対応している第１又は第２感知電極１４、２０のそれぞれにより生成されるが、そうである必要はない。他の例においては、２つ以上の隣接する感知電極１４、２０のグループからの信号は、単一の電荷増幅器３４によって結合され、２つ以上の隣接する感知電極１４、２０のグループに誘導された電荷に対応する第１圧電圧力信号２９を生成してもよい。
【０１５９】
前述の例は、第１及び第２感知電極１４、２０が垂直方向に延びているタッチパネルを参照して主に説明されてきたが、そうである必要はない。他の例では、第２感知電極２０は省略されてもよく、第１感知電極は別々のタッチパネルの二次元アレイの形態をとってもよい。本明細書の第１及び第２の方法は、このような例と共に依然として使用されてもよい。
【０１６０】
特許請求の範囲は本出願において特徴の特定の組み合わせに対して定式化されているが、本発明の開示の範囲はまた、それがいずれかの請求項において現在請求されているのと同じ発明に関連するかどうか、そしてそれが本発明と同じ技術的問題の一部又は全部を軽減するかどうかに関わらず、本明細書に明示的又は暗黙的に開示されているいずれかの新規な特徴又は任意の新規な特徴の組み合わせ、又はその任意の一般化も含むことを理解されたい。出願人は、本出願又はそれから派生する任意のさらなる出願の審査中に、そのような特徴及び／又はそのような特徴の組合せに対して新しい請求項が定式化される場合があることをここに通知する。
【図１】
2019220162.tif 000022
【図２】
2019220162.tif 000023
【図３】
2019220162.tif 000024
【図４】
2019220162.tif 000025
【図５】
2019220162.tif 000026
【図６】
2019220162.tif 000027
【図７】
2019220162.tif 000028
【図８】
2019220162.tif 000029
【図９】
2019220162.tif 000030
【図１０】
2019220162.tif 000031
【図１１】
2019220162.tif 000032
【図１２】
2019220162.tif 000033
【図１３】
2019220162.tif 000034
【図１４】
2019220162.tif 000035
【図１５】
2019220162.tif 000036
【図１６】
2019220162.tif 000037
【図１７】
2019220162.tif 000038
【図１８】
2019220162.tif 000039
【図１９】
2019220162.tif 000040
【図２０】
2019220162.tif 000041
【外国語明細書】
2019220162000001.pdf